(57)【要約】      （修正有）【課題】日除け本体の高さ調節機能及、取付け部（土台）の前後長・左右幅・水平位置の調節機能等を有する、使用者にとって使い勝手の良い車椅子用日除け具を提供する。【解決手段】着脱可能な本体部１と土台部２から成り、本体部１は、横方向アーチ状に橋架された複数のフレーム１１と、フレーム１１に張設された遮光シート１２と、フレーム１１の各端部を回動自在に受け入れる一対の支柱とを有し、フレーム１１は長手方向中央に配設された関節により前後方向に折曲可能であり、支柱の各々は内径が異なる複数のパイプが同軸に連結して成り、前記複数のパイプがそれぞれ隣接するパイプに入脱することによって支柱が伸縮する。土台部２は１以上のバンドで車椅子の支柱に着脱する。土台部２はこれを構成するパイプの入脱と、本体取り付けプレートの着設位置調整により、前後長・左右幅・水平位置の取付位置調整が可能である。【選択図】図１
0003212917.tif 000002
【実用新案登録請求の範囲】
【請求項１】
車椅子の肘掛け部支柱及び／又は背もたれ部支柱に取付けて使用する日除け具であって、相互に着脱が可能な本体部と土台部から成り、前記本体部は、
着座部の上方に横方向アーチ状に橋架された複数のフレームと、
前記フレームに張設された遮光シートと、
前記複数のフレームの各端部を回動自在に受け入れる一対の支柱と、
を有し、
前記複数のフレームは長手方向中央に配設されたヒンジ式の関節により車椅子前後方向に折曲可能であり、
前記一対の支柱の各々は内径が異なる複数のパイプが同軸に連結して成り、前記複数のパイプがそれぞれの隣接する前記パイプに入脱することによって前記支柱が伸縮することを特徴とする日除け具。  
【請求項２】
前記土台部は、
互いに連結する複数のパイプと、
前記支柱の下端取付け部を着脱可能に受け入れる取付けプレートと、
から成り、前記複数のパイプを車椅子の肘掛け部支柱及び／又は背もたれ部支柱に１以上のバンドで巻着することにより前記土台部が車椅子に着脱自在に取り付けられることを特徴とする請求項１記載の日除け具。
【請求項３】
前記土台部の前記複数のパイプはその一部に同軸に連結する２のパイプを有し、前記２のパイプのうち１のパイプが隣接する他のパイプに入脱することにより、前記１のパイプに着設された前記取付けプレートの位置が前記１のパイプの軸方向で変化することを特徴とする請求項２記載の日除け具。
【請求項４】
前記取付けプレートは前記１のパイプの軸方向に対して直角方向に伸びる長尺形状を有し、前記取付けプレートと前記１のパイプとの接着位置を前記取付けプレートの長手方向で変化させることにより、前記取付けプレートの位置が車椅子の幅方向で変化することを特徴とする請求項３記載の日除け具。
【考案の詳細な説明】
【技術分野】
【０００１】
本考案は、車椅子に取付けて使用する日除け具に関する。
【背景技術】
【０００２】
車椅子に装着する日除け具としては、背もたれ部支柱上部に設置する蛇腹式開閉のものが複数のメーカーから市販されている。
【先行技術文献】
【特許文献】
【０００３】
【特許文献１】実用新案第３２０９４６５号
【考案の概要】
【考案が解決しようとする課題】
【０００４】
上述した市販の車椅子用日除け具は、（１）日差しを遮光する面積が小さい、（２）装着時に高さの調節が出来ない、（３）車椅子に座った状態では遮光部の開閉は出来るが着脱が難しい、（４）取外し時にはコンパクトに収納出来ない等の問題点がある。 
【０００５】
出願人は、実用新案第３２０９４６５号（上記特許文献１）において、装着が簡単で、フレームを折りたたむことによりコンパクトに収納ができる車椅子用雨除け具を提案した。
【０００６】
本願においては、上記実用新案において提供した技術を用いたうえ、さらに利便性と操作性に優れた車椅子用日除け具を提案する。具体的には、既に前記考案の中で公開したフレームのヒンジ式関節及び工具なしの土台部装着の技術に加え、日除け本体の高さ調節機能及び取付け部（土台）の前後長・左右幅・水平位置の調整機能を有する、使用者にとって使い勝手の良い車椅子用日除け具を提供することを課題とする。
【課題を解決するための手段】
【０００７】
上記課題を解決するために、請求項１に係る日除け具は、車椅子の肘掛け部支柱及び／又は背もたれ部支柱に取付けて使用する日除け具であって、相互に着脱が可能な本体部と土台部から成り、前記本体部は、着座部の上方に横方向アーチ状に橋架された複数のフレームと、前記フレームに張設された遮光シートと、前記複数のフレームの各端部を回動自在に受け入れる一対の支柱と、を有し、前記複数のフレームは長手方向中央に配設されたヒンジ式の関節により車椅子前後方向に折曲可能であり、前記一対の支柱の各々は内径が異なる複数のパイプが同軸に連結して成り、前記複数のパイプがそれぞれの隣接する前記パイプに入脱することによって前記支柱が伸縮することを特徴とする。
【０００８】
請求項２に係る日除け具は、請求項１に記載の特徴に加え、前記土台部は、互いに連結する複数のパイプと、前記支柱の下端取付け部を着脱可能に受け入れる取付けプレートと、から成り、前記複数のパイプを車椅子の肘掛け部支柱及び／又は背もたれ部支柱に１以上のバンドで巻着することにより前記土台部が車椅子に着脱自在に取り付けられることを特徴とする。
【０００９】
請求項３に係る日除け具は、請求項１及び２に記載の特徴に加え、前記土台部の前記複数のパイプはその一部に同軸に連結する２のパイプを有し、前記２のパイプのうち１のパイプが他のパイプに入脱することにより、前記１のパイプに着設された前記取付けプレートの位置が前記１のパイプの軸方向で変化することを特徴とする。
【００１０】
請求項４に係る日除け具は、請求項１、２及び３に記載の特徴に加え、前記取付けプレートは前記１のパイプの軸方向に対して直角方向に伸びる長尺形状を有し、前記取付けプレートと前記１のパイプとの接着位置を前記取付けプレートの長手方向で変化させることにより、前記取付けプレートの位置が車椅子の幅方向で変化することを特徴とする。
【考案の効果】
【００１１】
使用者が車いすに座った状態で本体部の着脱が可能となった。また、車椅子に取付ける土台部は工具等を使用せずバンドで固定するので、土台の着脱が簡単になったうえ、車椅子に傷等が付く心配がなくなった。
【００１２】
前後長、左右幅及び水平の取付位置を調整することができるため、多くの車椅子機種に装着可能である。また、日除け具を使用しない時に、土台部のみが車椅子に装着されたままであっても、前後長と左右幅を一番縮めた状態にすることで車椅子使用の邪魔にならない。
【００１３】
蛇腹式の開閉に加え、関節を有するフレームの採用により、本体部を前後方向及び幅方向に畳んでコンパクトに収納出来る為、外出時に持ち運びし易くなった。
【００１４】
支柱の伸縮機能により、日除け具本体を使用者の好みの高さに調節可能となった。
【図面の簡単な説明】
【００１５】
【図１】本実施形態の車椅子用日除け具を装着し支柱を短くした状態の写真である。
【図２】支柱を伸ばして使用する状態を示す写真である。
【図３】支柱を伸ばし、本体部を後方に閉じた状態の写真である。
【図４】（Ａ）支柱を伸ばした状態の本体部を示す正面図である。（Ｂ）フレームを折りたたみ、支柱を短くした本体部を示す正面図である。
【図５】（Ａ）関節の折曲動作を示す平面図である。（Ｂ）関節の構造を示す正面図である。
【図６】（Ａ）フレームを展開し支柱を伸ばした状態の本体部の側面図である。（Ｂ）フレームを閉じ支柱を短くした状態の本体部の側面図である。
【図７】本体部支柱のクリップの使用方法を示す写真である。
【図８】土台部の車椅子への着脱方法を示す斜視図である。
【図９】本体部支柱の土台部への受け入れ方法を示す斜視図である。
【図１０】土台部の部品構成を示す斜視図である。
【図１１】土台部の前後方向長さ調整においてクリップ方式を採用した実施例を示す斜視図である。
【考案を実施するための形態】
【００１６】
以下、本考案に係る車椅子用日除け具の実施形態について図を用いて説明する。本実施形態の日除け具（以下、「本日除け具」という。）は、請求項４記載の日除け具であって、請求項１乃至４に記載の技術的特徴をすべて具備する。
【００１７】
本日除け具は、図１に示すように、本体部１と土台部２より成る。本体部１は、３本のアーチ状のフレーム１１に遮光シート１２が張られ、遮光シート１２は蛇腹式に展開又は閉収する構成となっている。
以下、本日除け具の４つの特徴に沿って、本実施形態の構成及び機能について説明する。
【００１８】
第１の特徴は、本体部１の高さ調節機構である。フレーム１１は、図６（Ａ）に示すように、各端部が1対の支柱１３に枢着され、フレーム１１と支柱１３の枢着部分を車椅子の進行方向に前後に回動させることにより、遮光シート１２が蛇腹式に開閉する構成をとるが、支柱１３は、内径が異なる３本のパイプＡ１３１，Ｂ１３２，Ｃ１３３が同軸に連結する構造となっている。ここで、パイプＣ１３３がパイプＢ１３２に、パイプＢ１３２がパイプＡ１３１に入脱することによって支柱１３が伸縮する。各パイプは適当な位置で２つのクリップ１３４を締めることにより仮固定される（図７）。図１は支柱１３を短くして使用するとき、図２は支柱１３を最長として使用するときの状態を示す。また、図３は本日除け具が必要なくなったときに、使用者の頭上で遮光シート１２を閉じた状態を示す。
【００１９】
上述の高さ調節機構は、車椅子使用者自身が着座状態で操作できる利便性が特徴であるが、日除け具不使用時においても、後述のフレーム折り畳み機構との併用で、本体部１のコンパクトな収納が可能となる（図６（Ｂ））。
【００２０】
本日除け具の第２の特徴は、フレームの折り畳み機構である。図４（Ａ）に示すように、フレーム１１の長手方向中央にはヒンジ式の関節１１１が配設され、３本のフレームは天頂部分で車椅子前後方向に折曲可能となっている。図５（Ａ）は関節１１１の折曲動作を示す平面図であり、図５（Ｂ）は関節１１１の構造を示す正面図である。前述したように、本折り畳み機構と前述の高さ調節機構の採用により本体部１のコンパクトな収納が可能となる。図４（Ｂ）は、フレームを閉じて折り畳み、さらに支柱１３を短くしたときの本体部１の正面図である。
【００２１】
本日除け具の第３の特徴は、土台部２の簡単着脱機構である。図１及び図８に示すように、土台部はＬ字型パイプ２１、内側パイプ２２及び本体取り付けプレート２３より成り、Ｌ字型パイプ２１がバンド２４及び２５によって車椅子の肘掛け部支柱３１に，また、内側パイプ２２がバンド２６によって背もたれ部支柱３２に巻着される構成となっている。本機構により、工具を使用せずに土台部２の着脱が可能となり、着脱時に車椅子を傷つける心配もない。
【００２２】
本体部１と土台部２の接続方法は図９に示すとおりである。すなわち、本体部支柱１３の先端に配設された下端取付け部１３５を、土台部本体取り付けプレート２３の取付け部２３１に嵌入し、Ｒピン２３５をロック用穴２３４に挿入し支柱１３を本体取り付けプレート２３に仮固定する。
【００２３】
本日除け具の第４の特徴は、取付け位置調整機構である。本日除け具は、以下に述べる土台部２の構造と機能により、前後長、左右幅及び水平の３方向において、取付け位置を調整することが可能となっている。
【００２４】
まず、前後長の調整について説明する。図８及び図１０に示すように、土台部２はＬ字型パイプ２１の下側パイプ部分と内側パイプ２２が同軸に連結し、内側パイプ２２がＬ字型パイプ２１の下側パイプ部分に入脱することにより、前後長の長さを調節する。また、本体取付けプレート２３は柄部２３２に形成された長形の溝２３３を通してＵ字ボルト２３４及び蝶ナット２３５により内側パイプ２２に仮固定されるため、蝶ナット２３５を緩めて、本体取付けプレート２３の前後取付け位置を、内側パイプ２２の長手方向で調整することができる。
【００２５】
次は左右幅の位置調整である。前述のＵ字ボルト２３４及び蝶ナット２３５を使用した本体取付けプレート２３の内側パイプ２２への取付けにおいて、溝２３３上の取付け位置を溝の長さ方向に動かして調節することにより、取付け部２３１の左右幅の位置を調整することが可能となる。
【００２６】
さらに、上記取付けに際し蝶ナット２３５を締めるときに、プレート２３を内側パイプ２２の外周に沿って回転させることにより、取付け部２３１の水平位置を調整することができる。
【００２７】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。例えば、フレーム１１の具体的形状や数は適宜変えることが可能であるほか、土台部２の車椅子への装着についても、背もたれ部支柱３２へのバンドの取付は行わず、肘掛け部支柱３１への取付のみとすることができるし、バンドの数も増減することが可能である。また、土台部２の内側パイプ２２の入脱及び仮固定の方法については、本実施形態の固定ねじ方式に代え、図１１に示すようなクリップ方式を採用することができる。この方法を採用した場合には、クリップ２３８の締め付けの際に内側パイプ２２を回転させることができるため、取付位置の水平方向の調整が上記本実施形態より容易になるという利点がある。
【符号の説明】
【００２８】
１      本体部
１１    フレーム
１１１  関節
１２    遮光シート
１３    支柱
１３１  パイプＡ
１３２  パイプＢ
１３３  パイプＣ
１３４  クリップ
１３５  下端取付け部
１３６  ロック用穴（下端取付け部）
２      土台部
２１    Ｌ字型パイプ
２１１  固定用ネジ穴
２１２  固定用ネジ
２２    内側パイプ
２３    本体取り付けプレート
２３１  取付け部
２３２  柄部
２３３  溝
２３４  Ｕ字ボルト
２３５  蝶ナット
２３６  ロック用穴（取り付けプレート）
２３７  Ｒピン
２３８  クリップ
２４，２５，２６  バンド
３      車椅子
３１    肘掛け部支柱
３２    背もたれ部支柱
【図１】
0003212917.tif 000003
【図２】
0003212917.tif 000004
【図３】
0003212917.tif 000005
【図４】
0003212917.tif 000006
【図５】
0003212917.tif 000007
【図６】
0003212917.tif 000008
【図７】
0003212917.tif 000009
【図８】
0003212917.tif 000010
【図９】
0003212917.tif 000011
【図１０】
0003212917.tif 000012
【図１１】
0003212917.tif 000013